(57)【特許請求の範囲】
【請求項１】
ガラス材の四周を囲繞する左右一対の縦枠材と上下一対の横枠材とを備えた窓サッシに、複数の光源からなる光源部材と、該光源部材からの照射を受けて面発光する導光パネルと、該導光パネルの面発光を受けて表示する表示パネルとを屋内外積層状に組込むにあたり、導光パネルと表示パネルとを四周フレームに枠組し、表示パネルを押縁により四周フレームに着脱自在に保持せしめるとともに、光源部材を四周フレームの少なくとも一つのフレームに内装して表示ユニットを構成する一方、縦、横枠材のそれぞれは、ガラス材が組込まれるガラス材用枠部に屋内外方向に隣接するようにして前記表示ユニットが着脱自在に組込まれる表示ユニット用枠部が一体形成されたものとし、表示ユニットは、導光パネルがガラス材と表示パネルとの間に位置する状態で表示ユニット用枠部に着脱自在に組込まれて四周フレームが表示ユニット用枠部に支持固定され、かつ、表示ユニットが表示ユニット用枠部に組込み固定された状態において、表示パネルは、該表示パネルを保持する押縁を取外すことで四周フレームから取外しできる一方、表示ユニット全体は、四周フレームを表示ユニット用枠部から取外すことで表示ユニット用枠部から取外しできる構成にしたことを特徴とする表示ユニットが組込まれた窓サッシ。
【請求項２】
表示ユニットは、下フレームが窓サッシの下横枠材に支持され、少なくとも上フレームが窓サッシの上横枠材に固定されるように構成されていることを特徴とする請求項１に記載の表示ユニットが組込まれた窓サッシ。
【請求項３】
表示ユニットは、下横枠材の表示ユニット用枠部に設けた揺動受け片に対して揺動自在に支持される揺動支持片が下フレームに設けられていることを特徴とする請求項１または２に記載の表示ユニットが組込まれた窓サッシ。
【請求項４】
表示ユニットは、ガラス材と導光パネルとのあいだに位置する状態で縦、横枠材の表示ユニット用枠部に固定され、導光パネルにより照射される第二表示パネルを備えていることを特徴とする請求項１乃至３の何れか１項に記載の表示ユニットが組込まれた窓サッシ。
【請求項５】
表示ユニットは、複数の縦枠材と複数の横枠材とを直交状に枠組みして形成される複数の空間にそれぞれガラス材が設けられた窓サッシの任意の位置のガラス材に積層して設けられていることを特徴とする請求項１乃至４の何れか１項に記載の表示ユニットが組込まれた窓サッシ。
【請求項６】
ガラス材の四周を囲繞する左右一対の縦枠材と上下一対の横枠材とを備えた窓サッシに、複数の光源からなる光源部材と、該光源部材からの照射を受けて面発光する導光パネルと、該導光パネルの面発光を受けて表示する表示パネルとを屋内外積層状に組込むにあたり、導光パネルと表示パネルとを四周フレームに着脱自在に枠組し、光源部材を四周フレームの少なくとも一つのフレームに内装して表示ユニットを構成する一方、縦、横枠材のそれぞれは、ガラス材が組込まれるガラス材用枠部に屋内外方向に隣接するようにして前記表示ユニットが着脱自在に組込まれる表示ユニット用枠部が一体形成されたものとし、表示ユニットの窓サッシへの組込みは、表示ユニットをガラス材と表示パネルとの間に導光パネルが位置する状態として、表示ユニットの下フレームに設けた揺動支持片を下横枠材の表示ユニット用枠部に設けた揺動受け片に支持させる第一工程と、表示ユニットの上フレームを上横枠材の表示ユニット用枠部に組込んで固定する第二工程とにより構成されていることを特徴とする表示ユニットの窓サッシへの組込み方法。
【発明の詳細な説明】
【技術分野】
【０００１】
本発明は、公共施設や商業用建築物のフロント部分等に設けられる表示ユニットが組込まれた窓サッシおよび表示ユニットの窓サッシへの組込み方法の技術分野に関するものである。
【背景技術】
【０００２】
近年、看板や表示板等の表示装置（表示ユニット）を、省エネルギーの観点から光源としてＬＥＤ（発光ダイオード）を用いたものが知られている。このような表示装置としては、複数の光源からなる光源部材と、該光源部材からの照射を受けて面発光する導光パネルと、該導光パネルに積層され、導光パネルの面発光を受けて表示する表示パネルとを用い、導光パネルと表示パネルとを四周フレームに枠組するとともに、光源部材を四周フレームの少なくとも一つのフレームに内装するようにしたものが提唱されている（特許文献１）。
【先行技術文献】
【特許文献】
【０００３】
【特許文献１】特開２００９−３０８１号公報
【発明の概要】
【発明が解決しようとする課題】
【０００４】
ところで、このようにＬＥＤを用いた表示ユニットを、公共施設や商業用建築物のフロント部分等を構成するガラス材が組込まれた窓サッシに積層状に組込むことで表示のアピール度を高めることができると想定されるが、この場合に、表示パネルは、必要において交換することが考えられる一方、光源部材のメンテナンスもあり、このような交換やメンテナンスを、意匠性を損なわない状態で容易にできるように組込む必要がある。しかるに、このような表示ユニットの窓サッシへの組込みについて前記特許文献１のものにはどこにも示唆がなく、このため、窓サッシに表示ユニットを組込むにあたり、意匠性、メンテナンス性等を損なわないような構成を提供することが求められ、ここに本発明の解決すべき課題がある。
【課題を解決するための手段】
【０００５】
本発明は、上記の如き実情に鑑みこれらの課題を解決することを目的として創作されたものであって、請求項１の発明は、ガラス材の四周を囲繞する左右一対の縦枠材と上下一対の横枠材とを備えた窓サッシに、複数の光源からなる光源部材と、該光源部材からの照射を受けて面発光する導光パネルと、該導光パネルの面発光を受けて表示する表示パネルとを屋内外積層状に組込むにあたり、導光パネルと表示パネルとを四周フレームに枠組し、表示パネルを押縁により四周フレームに着脱自在に保持せしめるとともに、光源部材を四周フレームの少なくとも一つのフレームに内装して表示ユニットを構成する一方、縦、横枠材のそれぞれは、ガラス材が組込まれるガラス材用枠部に屋内外方向に隣接するようにして前記表示ユニットが着脱自在に組込まれる表示ユニット用枠部が一体形成されたものとし、表示ユニットは、導光パネルがガラス材と表示パネルとの間に位置する状態で表示ユニット用枠部に着脱自在に組込まれて四周フレームが表示ユニット用枠部に支持固定され、かつ、表示ユニットが表示ユニット用枠部に組込み固定された状態において、表示パネルは、該表示パネルを保持する押縁を取外すことで四周フレームから取外しできる一方、表示ユニット全体は、四周フレームを表示ユニット用枠部から取外すことで表示ユニット用枠部から取外しできる構成にしたことを特徴とする表示ユニットが組込まれた窓サッシである。
請求項２の発明において、表示ユニットは、下フレームが窓サッシの下横枠材に支持され、少なくとも上フレームが窓サッシの上横枠材に固定されるように構成されていることを特徴とする請求項１に記載の表示ユニットが組込まれた窓サッシである。
請求項３の発明において、表示ユニットは、下横枠材の表示ユニット用枠部に設けた揺動受け片に対して揺動自在に支持される揺動支持片が下フレームに設けられていることを特徴とする請求項１または２に記載の表示ユニットが組込まれた窓サッシである。
請求項４の発明において、表示ユニットは、ガラス材と導光パネルとのあいだに位置する状態で縦、横枠材の表示ユニット用枠部に固定され、導光パネルにより照射される第二表示パネルを備えていることを特徴とする請求項１乃至３の何れか１項に記載の表示ユニットが組込まれた窓サッシである。
請求項５の発明において、表示ユニットは、複数の縦枠材と複数の横枠材とを直交状に枠組みして形成される複数の空間にそれぞれガラス材が設けられた窓サッシの任意の位置のガラス材に積層して設けられていることを特徴とする請求項１乃至４の何れか１項に記載の表示ユニットが組込まれた窓サッシである。
請求項６の発明は、ガラス材の四周を囲繞する左右一対の縦枠材と上下一対の横枠材とを備えた窓サッシに、複数の光源からなる光源部材と、該光源部材からの照射を受けて面発光する導光パネルと、該導光パネルの面発光を受けて表示する表示パネルとを屋内外積層状に組込むにあたり、導光パネルと表示パネルとを四周フレームに着脱自在に枠組し、光源部材を四周フレームの少なくとも一つのフレームに内装して表示ユニットを構成する一方、縦、横枠材のそれぞれは、ガラス材が組込まれるガラス材用枠部に屋内外方向に隣接するようにして前記表示ユニットが着脱自在に組込まれる表示ユニット用枠部が一体形成されたものとし、表示ユニットの窓サッシへの組込みは、表示ユニットをガラス材と表示パネルとの間に導光パネルが位置する状態として、表示ユニットの下フレームに設けた揺動支持片を下横枠材の表示ユニット用枠部に設けた揺動受け片に支持させる第一工程と、表示ユニットの上フレームを上横枠材の表示ユニット用枠部に組込んで固定する第二工程とにより構成されていることを特徴とする表示ユニットの窓サッシへの組込み方法である。
【発明の効果】
【０００６】
請求項１、６の発明とすることにより、窓サッシに容易に表示ユニットを組込めて、表示のアピール度を高めることができ、窓サッシに組込まれた表示ユニットから頻繁な交換が予測される表示パネルのみを取外したり、表示ユニット全体を取外すことができる。
請求項２の発明とすることにより、表示ユニットの組込みを容易にすることができる。
請求項３の発明とすることにより、表示ユニットの組込みを、一人作業でも作業性よく、しかも、短時間で行なうことができる。
請求項４の発明とすることにより、表示パネルによる屋内側への広告表示だけでなく、第二表示パネルによる屋外側への広告表示を行なうことができる。
請求項５の発明とすることにより、表示ユニットの設置箇所を自由に設定することができ、表示の多様性を確保できて、広告効果を大きくすることが可能となる。
【図面の簡単な説明】
【０００７】
【図１】建築物のフロント部をパターン化した正面図である。
【図２】図２（Ａ）、（Ｂ）はそれぞれ図１の矢印Ａ部分の拡大図、表示ユニットの斜視図である。
【図３】図２におけるＸ−Ｘ断面図である。
【図４】図２におけるＹ−Ｙ断面図である。
【図５】要部の横断面における斜視図である。
【図６】要部の縦断面における斜視図である。
【図７】第一表示パネルの取外しを説明する分解斜視図である。
【図８】第二の実施の形態の縦断面図である。
【図９】図９（Ａ）、（Ｂ）はそれぞれ第三の実施の形態の横断面図、縦断面図である。
【図１０】図１０（Ａ）は第四の実施の形態の縦断面図、図１０（Ｂ）は第五の実施の形態の横断面図である。
【発明を実施するための形態】
【０００８】
以下、本発明の実施の形態について、図面に基づいて説明する。
１は建築物のフロント部であって、該フロント部１は、図１に示すように、複数の長尺状の縦枠材２と該縦枠材２に直交状に配される複数の短尺状の横枠材３とにより構成される窓サッシを用いて構成されている。この場合に、複数の縦枠材２は左右方向複数箇所に立設され、隣接する一対の縦枠材２の対向間に、複数の横枠材３を上下方向任意の位置において組込まれている。これによって、フロント部１には、窓サッシにより左右方向幅は同一であるが上下方向高さは異なる複数の四角形状の空間が形成され、これら形状の異なる複数の空間に、それぞれ嵌め殺し状、あるいは、開閉自在な状態に構成されたガラス材４を組込むことによりフロント部１が構成されている。そして、フロント部１に組込まれる複数のガラス材４のうち、任意の箇所の嵌め殺し状に組込まれたガラス材４の屋内側に、本発明が実施された表示ユニット５がガラス材４に積層する状態で窓サッシである縦、横枠材２、３に一体的に組込まれている。
【０００９】
つぎに、表示ユニット５、および、表示ユニット５の窓サッシ（縦、横枠材２、３）への組込み状態について説明するが、図１において○印で囲まれた矢印Ａ部分における表示装置５、および、該表示装置５の組込みの手順、さらには、交換やメンテナンスの手順等を第一の実施の形態として、図２〜図７の図面に基づいて説明する。
まず、表示ユニット５について説明する。前記表示ユニット５は、複数の光源であるＬＥＤ（発光ダイオード）６ａを適宜配線して構成された長尺状の光源部材６と、光源部材６からの照射を受けて面発光するプレート状の導光パネル７と、該導光パネル７の屋内側に積層され、絵柄や文字等、所望の広告表示がなされるアクリル板からなる第一表示パネル８とを備えて構成されている。前記導光パネル７と表示パネル８とは、窓サッシに嵌め殺し状に組込まれるガラス材４と略同形状の四角形状に形成されており、互いに積層する両パネル７、８は、四周を同一形状のベースフレーム９により枠組みすることにより一体化されるように構成されている。
【００１０】
前記四周に枠組みされるベースフレーム９は、図３、４に示すように、内方が開口する一対の第一、第二凹部９ａ、９ｂが屋内外方向に隣接する形状に構成されており、屋内側の第一凹部９ａに第一表示パネル８を嵌入し、第一表示パネル８と第一凹部９ａの屋内側溝側片９ｃとのあいだに押縁１０を嵌入することで第一表示パネル８がベースフレーム９に保持されるように構成されている。また、屋外側の第二凹部９ｂに導光パネル７を嵌入し、導光パネル７と第二凹部９ｂの屋外側溝側片９ｄとのあいだに押縁１０を嵌入することで導光パネル７がベースフレーム９に保持されるように構成されている。
【００１１】
そして、両パネル７、８の四周を囲繞して一体化するベースフレーム９のうち、上下側のベースフレーム９の屋外側に位置する第二凹部９ｂには、複数の発光ダイオード（ＬＥＤ）６ａからなる長尺状の前記光源部材６が内装されるが、光源部材６は、導光パネル６の上端面または下端面と第二凹部９ｂの溝底片９ｅとのあいだに形成される長尺状の空間に延出する状態で設けられている。これによって、光源部材６のＬＥＤ６ａが点灯したとき、導光パネル７の上下端面が左右方向全域に亘って光源部材６の照射を受け、導光パネル６のパネル面全体が面発光するように構成されている。
尚、導光部材６は、本実施の形態では、導光パネル７の上下端部に対向する部位にのみ組込まれているが、上下何れか一方、あるいは、上下、左右の四方の端部に対向する部位に設ける構成としてもよく、表示ユニット５の形状、設置箇所により適宜変更することが可能である。
【００１２】
さらに、上側、および、左右側に位置するベースフレーム９には固定用フレーム１１が固定されている。前記固定用フレーム１１は屋内外に対向する一対の側片１１ａとこれら側片１１ａ同士を連結する底片１１ｂとにより断面コ字形状に形成されている。そして、固定用フレーム１１の底片１１ｂは、ベースフレーム９の第一凹部９ａの溝底片９ｆと同様の屋内外方向長さに設定されており、該底片１１ｂを上、左、右側ベースフレーム９の各第一凹部９ａの溝底片９ｆにあてがって底片１１ｂ側から螺着することにより、固定用フレーム１１の屋内側側片１１ａとベースフレーム９の第一凹部９ａの屋内側溝側片９ｃとが面一状となる状態で固定されるように構成されている。
また、下側ベースフレーム９には支持フレーム１２が設けられているが、支持フレーム１２は、第一、第二凹部９ａ、９ｂの溝底片９ｆ、９ｅに突当てられる支持片１２ａと、支持片１２ａの屋内側端縁から直下方向に向けて延出し、ベースフレーム９の第一凹部９ａにおける屋内側溝側片９ｃと面一状となる延出片１２ｂと、延出片１２ｂの延出端部より屋外側に偏倚した状態で下方に延出する揺動支持片１２ｃとを備えて構成されている。
【００１３】
このように、表示ユニット５は、ベースフレーム９と固定用フレーム１１とにより構成される上フレームＦＵ、左フレームＦＬ、右フレームＦＲ、ベースフレーム９と支持フレーム１２とにより構成される下フレームＦＤからなる四周フレームＦＬ、ＦＲ、ＦＵ、ＦＤにより囲繞されることにより予めユニット化され、この状態において窓サッシに組込まれるように構成されている。
尚、上下のベースフレーム９の第二凹部９ｂに内装される光源部材６は、それぞれ外部電源に接続するための配線が第二凹部９ｂの左右方向一方の端部から引出されるが、これら配線のうち上フレームＦＵ側から引出される配線は、固定用フレーム１１側に引回され、配線の延出端部に接続されるコネクタ６ｂは屋内外一対の側片１１ａ対向間に収容されるように構成されている。また、下フレームＦＤ側の第二凹部９ｂから引出される配線は、左右何れか一方のフレームＦＬまたはＦＲの固定用フレーム１１の屋内外一対の側片１１ａ対向間を経由して上フレームＦＵの固定用フレーム１１側に引出され、配線の延出端部に接続されるコネクタ６ｂは前記上側の光源部材６のコネクタ６ｂとともに上フレームＦＵの屋内外一対の側片１１ａ対向間に収容されるように構成されている。
【００１４】
一方、窓サッシを構成する縦枠材２は、それぞれアルミ製の押出し型材で構成される第一、第二縦枠材１３、１４を左右方向に突き合わせ状に一体化することにより構成されている。前記第一、第二縦枠材１３、１４の断面は屋内外方向に長い略四角形状に形成されており、屋外側には、ガラス材４の右端縁部、左端縁部を嵌め殺し状に組込むためのガラス材用枠部１３ａ、１４ａが、それぞれ左右方向外方が開口する凹溝形状として形成されている。
そして、第一、第二縦枠材１３、１４のガラス材用枠部１３ａ、１４ａを構成する屋内側の溝側片には、それぞれ溝開口端部から屋内側に延出する連結片１３ｂ、１４ｂが形成されている。そして、第一、第二縦枠材１３、１４の各連結片１３ｂ、１４ｂの屋内側端部には、表示ユニット５の右フレームＦＲ、左フレームＦＬを組込むための表示ユニット用枠部１３ｃ、１４ｃがそれぞれ形成されており、これによって、第一、第二縦枠材１３、１４には、ガラス材用枠部１３ａ、１４ａと表示ユニット用枠部１３ｃ、１４ｃとが屋内外方向に隣接して形成されている。
前記第一縦枠材１３の表示ユニット用枠部１３ｃは、連結片１３ｂの屋内側端部から右方に向けて延出する溝側片１３ｄと該溝側片１３ｄの延出端部から屋内側に延出する溝底片１３ｅとにより、ガラス材用枠部１３ａと同様の溝深さを有し、左方と屋内側とが開口する凹部に構成されている。また、第二縦枠材１４の表示ユニット用枠部１４ｃは、連結片１４ｂの屋内側端部から左方に向けて延出する溝側片１４ｄと該溝側片１４ｄの延出端部から屋内側に延出する溝底片１４ｅとにより、ガラス材用枠部１４ａと同様の溝深さを有し、右方と屋内側とが開口する凹部に構成されている。
【００１５】
さらに、第一縦枠材１３の右側部には、屋内外方向三箇所に位置して右方に突出する係合突起１３ｆが形成されている一方、第二縦枠材１４の左側部には、屋内外方向三箇所に位置して前記係合突起１３ｆがそれぞれ嵌入係止する凹溝状の係合受け片１４ｆが形成されている。そして、縦枠材２は、第一縦枠材１３の右側部に第二縦枠材１４の左側部を突当てて、係合突起１３ｆに係合受け片１４ｆを外嵌せしめるように組込むことにより、屋内外方向の位置ズレ防止がなされた状態で組込まれるように構成されている。
尚、矢印Ａ部分におけるＸ−Ｘ断面箇所は、表示ユニット５の左右に隣接する空間部に嵌め殺し状のガラス材４が配設されていて、表示ユニット５が隣接しない配設状態となっている。そこで、図３に示すように、表示ユニット５が組込まれる左右一対の第一、第二縦枠材１３、１４からなる縦枠材２において、左側の縦枠材２を構成する第一縦枠材１３の表示ユニット用枠部１３ｃ、および、右側の縦枠材２を構成する第二縦枠材１４の表示ユニット用枠部１４ｃには塞ぎフレーム１５が装着されており、凹部状となった表示ユニット用枠部１３ｃ、１４ｃがそのまま外部に露出して意匠性を損なうことがないように構成されている。これによって、フロント部１を構成するにあたり、表示ユニット５を設ける箇所と設けない箇所とで異なる縦枠材を用いる必要がなく、第一、第二縦枠材１３、１４からなる一種類の縦枠材２を用いることでよいことになって部材の兼用化を図れるように構成されている。
【００１６】
また、隣接する一対の縦枠材２同士のあいだに組込まれる横枠材３としては、本実施の形態では、表示ユニット５の上フレームＦＵが組込まれる第一横枠材１６と、表示ユニット５の下フレームＦＤが組込まれる第二横枠材１７（本発明の下横枠材に相当する）との二種類のものが用いられている。
これら第一、第二横枠材１６、１７は、それぞれアルミ製の押出し型材で構成されており、第一、第二横枠材１６、１７とは、上下方向長さ、屋内外方向長さがそれぞれ同長さに形成されている。これら第一、第二横枠材１６、１７は、上端面屋外側にそれぞれガラス材４の下端縁部が組込まれるガラス材用枠部１６ａ、１７ａが形成され、下端面屋外側にそれぞれガラス材４の上端縁部が組込まれるガラス材用枠部１６ｂ、１７ｂが形成されている。
そして、第一横枠材１６の下端面における屋内側に、表示ユニット５の上フレームＦＵが組込まれる表示ユニット用枠部１６ｃが形成され、第二横枠材１７の上端面における屋内側に、表示ユニット５の下フレームＦＤが組込まれる表示ユニット用枠部１７ｃが形成されており、ガラス材用枠部１６ａ、１６ｂ、１７ａ、１７ｂと表示ユニット用枠部１６ｃ、１７ｃとが屋内外方向に隣接する状態で形成されている。
【００１７】
前記第一横枠材１６の表示ユニット用枠部１６ｃは、下側のガラス材用枠部１６ｂに続いて上方に延出し、上下方向中間部に屋内側に向けて段差状となり位置決め用となる段差片１６ｄが形成された溝側片１６ｅと、該溝側片１６ｅの上端部から屋内側に延出し、屋内外方向中間部に下方に向けて段差状となり位置決め用となる段差片１６ｆが形成された溝底片１６ｇとにより、ガラス材用枠部１６ａ、１６ｂよりも溝深状で、下方と屋内側とが開口する凹部に構成されている。また、第二横枠材１７の表示ユニット用枠部１７ｃは、上側のガラス材用枠部１７ａに続いて下方に延出し、上下方向中間部に屋内側に向けて段差状となり位置決め用となる段差片１７ｄが形成された溝側片１７ｅと、該溝側片１７ｅの下端部から屋内側に延出し、屋内外方向中間部に下方に向けて段差状となり位置決め用となる段差片１７ｆが形成された溝底片１７ｇとにより、ガラス材用枠部１７ａ、１７ｂよりも溝深状で、上方と屋内側とが開口する凹部に構成されている。
さらに、第二横枠材１７の表示ユニット用枠部１７ｃは、溝底片１７ｇの屋内側に位置し、表示ユニット５の下フレームＦＤを構成する支持フレーム１２の揺動支持片１２ｃが揺動自在に嵌合する凹溝状の揺動受け片１７ｈが下方に向けて凹設されている。
【００１８】
このように、縦、横枠材２、３（第一、第二縦枠材１３、１４、および、第一、第二横枠材１６、１７）を枠組みすることにより、左右一対の第二、第一縦枠材１４、１３、および、上下一対の第一、第二縦枠材１６、１７により囲繞される四角形状の空間が形成されている。そして、矢印Ａ部分において、縦、横枠材２、３により囲繞される部位の屋外側には、左右側および上下側がガラス材用枠部１４ａ、１３ａ、１６ｂ、１７ａにより囲繞されガラス材が組込まれる空間が形成され、該空間の屋内側に隣接して左右側および上下側が表示ユニット用枠部１４ｃ、１３ｃ、１６ｃ、１７ｃにより囲繞され表示ユニット５が組込まれる空間が形成されるように構成されている。
そして、本実施の形態では、各表示ユニット用枠部１４ｃ、１３ｃ、１６ｃ、１７ｃにより囲繞される空間のうちの屋外側に位置して第二表示パネル１８が組込まれている。前記第二表示パネル１８は、表示ユニット５とともにガラス材４を介して屋外側に向けての広告表示をするように構成されており、各表示ユニット用枠部１４ｃ、１３ｃ、１６ｃ、１７ｃを構成する溝側片１４ｄ、１３ｄ、１６ｅ、１７ｅのそれぞれに位置決めされた状態で螺着固定されるクランク状の第一取付けプレート１９により挟持状に支持固定されるように構成されている。
さらに、表示ユニット５が組込まれる各表示ユニット用枠部１４ｃ、１３ｃ、１６ｃ、１７ｃのうち、左右側および上側の表示ユニット用枠部１４ｃ、１３ｃ、１６ｃの各溝底片１４ｅ、１３ｅ、１６ｇには、それぞれＬ字状の第二取付けプレート２０が予め位置決めされた状態で螺着固定されている。
【００１９】
そして、光源部材６、導光パネル７、第一表示パネル８とを左右上下フレームＦＬ、ＦＲ、ＦＵ、ＦＤにより枠組みしてユニット化された表示ユニット５を各表示ユニット用枠部１４ｃ、１３ｃ、１６ｃ、１７ｃに対して組込むが、このとき、窓サッシには予めガラス材４が組込まれた状態となっており、表示パネル５は屋内側から組込まれるように構成されている。また、表示ユニット５は、導光パネル７が屋外側、第一表示パネ８が屋外側となる状態で組込まれるように構成されている。
前記表示ユニット５の組込みは、窓サッシに対し表示ユニット５を上部ほど屋内側となる傾斜姿勢として対向させ、図６に示すように、下フレームＦＤの下端部となる支持フレーム１２の揺動支持片１２ｃを、下側の表示ユニット用枠部１７ｃに形成される揺動受け片１７ｈに嵌入支持させて、窓サッシに対して仮保持する状態とする。そして、この仮保持状態において、表示ユニット５の上下フレームＦＵ、ＦＤに内装される上下一対の光源部材６から引出された一対のコネクタ６ｂと、縦枠材２（第一、第二縦枠材１３、１４）に形成される中空部等を介して表示ユニット５配設部位に引込まれる外部コネクタ（図示せず）とを接続する。尚、表示ユニット５が左右方向に隣接して配設されず、第一、第二縦枠材１３、１４の何れか一方の表示ユニット用枠部１３ｃまたは１４ｃが塞ぎフレーム１５により覆蓋されている場合では、塞ぎフレーム１５により覆蓋される中空部（空間）を配線スペースとすることができる。
【００２０】
続いて、表示パネル５を、揺動支持片１２ｃを支点として屋外側に向けて揺動させて、表示パネル５の左右および上フレームＦＬ、ＦＲ、ＦＵに設けられる固定用フレーム１１の屋内側の側片１１ａを、左右側および上側の表示ユニット用枠部１４ｃ、１３ｃ、１６ｃに設けられた第二取付けプレート２０に突当てた状態とする。そして、前記突当て状態において、固定用フレーム１１の屋内側の側片１１ａ側に開設された貫通孔を貫通する段付き螺子２１を、段部２１ａが固定用フレーム１１の屋外側の側片１１ａに突当たる状態となるよう第二取付けプレート２０に対して螺合することにより、表示パネル５が表示ユニット用枠部１４ｃ、１３ｃ、１６ｃ、１７ｃに組込まれるように構成されている。
このように、表示ユニット５は、窓サッシに対して一旦仮保持した状態としてから固定するように構成されており、これによって、光源部材６の配線等の作業が容易になるばかりでなく、窓サッシへの固定作業も容易に行なえることになって、少ない作業者で、短時間のあいだに作業性よく、しかも、精度よく組込めるように構成されている。
尚、前記組込み状態において、表示ユニット５は、ベースフレーム９の屋外側溝側片９ｄが第二表示パネル１８を支持する第一取り付けプレート１９に突当て状となって、導光パネル７と第二表示パネル１８とが近接対向するように構成されており、これによって、表示ユニット５の導光部材６の照射を受けて導光パネル７が面発光したとき、第一、第二表示パネル８、１８の両者を表示することができるように構成されている。
【００２１】
つぎに、前記状態に組込まれた表示ユニット５の部品交換やメンテナンスについて説明する。
まず、屋内側の第一表示パネル８のみの交換が要求された場合について説明する。
この場合、図７に示すように、屋内側に露出する第一表示パネル８の四周に組込まれている押縁１０をベースフレーム９の第一凹部９ａから取外し、第一表示パネル８を四周の第一凹部９ａ内において上下方向一方に偏寄させた状態で左右方向一方に位置ズレさせて他方縁部をベースフレーム９から抜け出させることにより、第一表示パネル８のみをベースフレーム９から取外すことができ、簡単、かつ、容易に第一表示パネル８を交換できるように構成されている。
【００２２】
また、導光パネル７を照射する導光部材６のＬＥＤ６ａの交換等のメンテナンスをする場合では、前記表示ユニット５を窓サッシから取外すが、この場合、表示ユニット５を表示ユニット用枠部１４ｃ、１３ｃ、１６ｃ、１７ｃへ組込む作業とは逆の作業、即ち、左右および上フレームＦＬ、ＦＲ、ＦＵの固定用フレーム１１を左右側および上側の表示ユニット用枠部１４ｃ、１３ｃ、１６ｃに固定している段付き螺子２１を取外し、下側の表示ユニット用枠部１７ｃの揺動受け片１７ｈに嵌入支持される下フレームＦＤの揺動支持片１２ｃを揺動支点として表示ユニット５の上フレームＦＵを手前（屋内側）に引出して、上部が屋内側に位置する傾斜姿勢とした後、表示ユニット５を少し持ち上げる状態として各表示ユニット用枠部１４ｃ、１３ｃ、１６ｃ、１７ｃから取外す。そして、表示ユニット５を取外した状態において、上下のベースフレーム９の第二凹部９ｂ左右方向一端部から長尺状の光源部材６を引出すことで、ＬＥＤ６ａの交換、基板のメンテナンス等を行なえるように構成されている。
【００２３】
また、表示ユニット５の導光パネル７の交換、または、メンテナンスが要求される場合では、前述したように各表示ユニット用枠部１４ｃ、１３ｃ、１６ｃ、１７ｃから表示ユニット５を取外し、導光パネル７が組込まれるベースフレーム９の第二凹部９ｂから押縁１０を取外すことにより、前記第一表示パネル８をベースフレーム９から取外す操作と同様の操作を行なうことにより導光パネル７を取外すことができ、このようにすることにより、導光パネル７の交換、メンテナンス等を行なえるように構成されている。
【００２４】
さらに、第二表示パネル１８の交換が必要な場合では、前述したように各表示ユニット用枠部１４ｃ、１３ｃ、１６ｃ、１７ｃから表示ユニット５を取外した状態とした後、各表示ユニット用枠部１４ｃ、１３ｃ、１６ｃ、１７ｃの溝側片１４ｄ、１３ｄ、１６ｅ、１７ｅに螺着固定されているクランク状の第一取付けプレート１９を取外すことにより、各表示ユニット用枠部１４ｃ、１３ｃ、１６ｃ、１７ｃから第二表示パネル１８を取外すことができ、このようにすることにより、第二表示パネル１８の交換を行えるように構成されている。
【００２５】
叙述の如く構成された本形態において、ガラス材４の四周を囲繞する左右一対の縦枠材２と上下一対の横枠材４とを備えた窓サッシに、複数のＬＥＤ６ａからなる光源部材６と、該光源部材６からの照射を受けて面発光する導光パネル７と、該導光パネル７の面発光を受けて表示する第一表示パネル８とを屋内外積層状に組込む場合に、導光パネル７と第一表示パネル８とは、ベースフレーム９と固定用フレーム１１または支持フレーム１２とにより構成される四周フレームＦＬ、ＦＲ、ＦＵ、ＦＤに着脱自在に枠組され、光源部材６が四周フレームＦＬ、ＦＲ、ＦＵ、ＦＤの上下のベースフレーム９に内装された表示ユニット５として組込まれるものとなっている。また、縦、横枠材２、３のそれぞれは、ガラス材４が組込まれる左右上下の各ガラス材用枠部１４ａ、１３ａ、１６ｂ、１７ａに屋内外方向に隣接するようにして前記表示ユニット５が着脱自在に組込まれる表示ユニット用枠部１４ｃ、１３ｃ、１６ｃ、１７ｃが一体形成されたものに構成されている。この結果、窓サッシに容易に表示ユニット５を組込めて、表示のアピール度を高めることができるばかりでなく、意匠性よく表示ユニット５を組込むことができる。
この場合に、表示ユニット５は、導光パネル７がガラス材４と第一表示パネル８との間に位置する状態で表示ユニット用枠部１４ｃ、１３ｃ、１６ｃ、１７ｃに着脱自在に組込まれており、この組込み状態において、表示ユニット５は、第一表示パネル８の四周フレームＦＬ、ＦＲ、ＦＵ、ＦＤからの取外しと、表示ユニット５全体を窓サッシの表示ユニット用枠部１４ｃ、１３ｃ、１６ｃ、１７ｃからの取外しとを選択できるようにしたので、頻繁に交換の可能性のある表示パネル８のみを交換したい場合では、表示ユニット５を窓サッシの表示ユニット用枠部１４ｃ、１３ｃ、１６ｃ、１７ｃから取外すことなく交換作業をすることができ、また、導光部材６や導光パネル７の交換やメンテナンスが必要な場合では、窓サッシから容易に取外すことができて、メンテナンス性に優れたものとすることができる。
【００２６】
このように、本発明が実施されたものにあっては、窓サッシに形成されるガラス材用枠部１４ａ、１３ａ、１６ａ、１７ａの屋内側に表示ユニット５を組込むための表示ユニット用枠部１４ｃ、１３ｃ、１６ｃ、１７ｃを形成して、窓サッシを容易に、かつ、意匠性よく組込めるようにしたものであるが、このものではさらに、表示ユニット５は、下フレームＦＤについては表示ユニット用枠部１７ｃに支持させるだけの構成としたので、組込み、取外しの作業を容易に行なうことができる。
【００２７】
さらに、表示ユニット５の下フレームＦＤの下端部揺動支持片１２ｃを窓サッシの下横枠材である第二横枠材１７に形成される揺動受け片１７ｈに支持される構成として、表示ユニット５を表示ユニット用枠部１４ｃ、１３ｃ、１６ｃ、１７ｃに組込む場合に表示ユニット５を第二横枠材１７に仮保持させることができるので、表示ユニット５の窓サッシへの組込み、取外しの作業を容易に、かつ、精度よく行なえるばかりでなく、一人作業が可能となるうえ、作業時間の短縮が図れて作業性が向上する。
【００２８】
さらに、本発明が実施されたものにあっては、表示ユニット５の屋外側に第二表示パネル１８が組込まれており、表示ユニット５の光源部材６を点灯することにより、第一表示パネル８による屋内側への広告表示とともに、第二表示パネル１８によるガラス材４を透しての屋外側への広告表示を行なうことができて、有効に広告表示をすることができる。
【００２９】
尚、本発明は前記実施の形態に限定されないことは勿論であって、前記窓サッシに組込まれるガラス材としては、表示ユニットが配設される箇所以外の部位では、嵌め殺し状に組込まれる場合と開閉自在な状態で組込まれる場合との両者があり、開閉自在な状態で組込まれる構成を第二の実施の形態として説明する。
前記第二の実施の形態は、図８に示すように、表示ユニット５が積層する嵌め殺し状のガラス材４の上下に、上部が屋外側に向けて開閉揺動する開き窓４ａが組込まれたものとなっている。この場合に、縦枠材（図示せず）は前記第一の実施の形態と同様のものを用い、開き窓４ａが配設される部位の屋内側に形成される表示ユニット用枠部に塞ぎ材を組込んだものとなっている一方、横枠材３については、前記第一の実施の形態の第一、第二横枠材１６、１７にそれぞれアタッチメント１６Ａ、１７Ａを設けて開き窓４ａを組込むように構成されている。そして、この場合でも、表示ユニット５の構成については前記第一の実施の形態と同様であり、同様の符号を附して説明を省略するが、表示ユニット５の下フレームＦＤの下端部となる支持フレーム１２の揺動支持片１２ｃを、第二横枠材１７の表示ユニット用枠部１７ｃに形成される揺動受け片１７ｈに嵌入支持する仮保持状態を経由して窓サッシに組込むことで、作業性よく組込み、取外しをすることができる。
さらに、このものでも、窓サッシに組込まれた表示ユニット５において、ベースフレーム９から第一表示パネル８を取外すことと、窓サッシから表示ユニット５全体を取外すこととを選択して実施することができて、部材の交換等のメンテナンスを容易に行なえる。
【００３０】
尚、屋内外方向幅が大きい開き窓４ｂの場合では、図９（Ａ）（Ｂ）に示す第三の実施の形態のようにすることもできる。このものでは、縦枠材２（第一、第二縦枠材１３、１４）については前記第一の実施の形態と同様のものを用い、図９（Ａ）に左側部位のみ示すが、開き窓４ｂが配設される部位の屋内側に形成される表示ユニット用枠部１３ｃには塞ぎ材１５を組込むとともに、アタッチメント１３Ａが設けられている。尚、右側部位については左側と略同様の構成であり図面を省略する。また、表示ユニット５の上側に設けられる第一横枠材としては図９（Ｂ）に示すように、ガラス材用枠部２２ａの形状が異なる第一横枠材２２を用いる一方、表示ユニット５の下側に設けられる第二横枠材１７にアタッチメント１７Ｂを設ける構成とすれば、表示ユニット５については前記第一、第二の実施の形態と同様の効果を発揮することができる。
【００３１】
また、図１０（Ａ）に第四の実施の形態を示すが、該第三の実施の形態は、図１における矢印Ｂ部分の構成であり、上下方向に長い形状のガラス材４が嵌め殺し状に組込まれた窓サッシに対し、上下方向に分割された表示ユニット５を組込む構成となっている。この場合に、縦枠材２は共通したものが用いられ、横枠材として、上下端面にガラス材４が組込まれるガラス材用枠部２３ａ、２３ｂが形成されたガラス材横枠２３と、上下端面に表示ユニット５が組込まれる表示ユニット用枠部２４ａ、２４ｂが形成された表示ユニット横枠２４とにより屋内外方向分割型となっており、これら各横枠２３、２４を積層状に組込むことで横枠材が構成されている。この場合では、嵌め殺し状のガラス材４に対して上下方向中間部において表示ユニット横枠２４により表示ユニッ５を上下方向に連続して設けることができる。
【００３２】
また、図１の矢印Ｃ部分は、上下方向に二枚の嵌め殺し状のガラス材４の屋内側に、一つの上下方向に長い表示ユニット５が組込まれた部位であり、この場合も、前記第三の実施の形態に用いた屋内外方向分割型の横枠材であるガラス材横枠２３と表示ユニット横枠２４とを適宜組合わせて用いることにより実現することができる。
【００３３】
尚、図１の矢印Ｄ部分は、ガラス材４が上下に連続して配設される部位であり、この場合では、横枠材として第一、第二横枠材１３、１４の何れか一方を用い、該一方の枠材１３または１４に形成される表示ユニット用枠部１３ｃまたは１４ｃに塞ぎフレームを組込むように構成することで、統一感のある窓サッシとなる。
【００３４】
このように、図１に示されるフロント部１は、複数の縦枠材２と複数の横枠材３とを直交状に枠組みして形成される複数の空間にそれぞれガラス材４が設けられた窓サッシにおいて、所望の位置のガラス材４に対して表示ユニット５を積層して設ける構成としたので、表示ユニット５の設置箇所を自由に設定することができ、表示の多様性を確保できて、広告効果を大きくすることが可能となる。
【００３５】
また、図１０（Ｂ）に示す第五の実施の形態のように構成することもできる。
前記第四の実施の形態において、ガラス材２５およに表示ユニット２６は、第一の実施の形態の表示ユニットと同様の構成であるが、上下方向長さが短い横長形状に形成されている。この場合、表示ユニット２６は、前記第一の実施の形態と同様に形成されて、図示しないが下フレームに形成される揺動支持片を下横枠材の揺動受け片に支持させる一方、上フレームを上横枠材に固定することで窓サッシへの固定をすることができ、組込み作業を一層容易にすることができる。そして、このものでは、図１０（Ｂ）に示すように、第一縦枠材１３に組込まれる右フレームＦＲをベースフレーム９のみで構成（左側においても同様である）することができ、この場合では、ガラス材４と表示パネル８とが同様の見付け面となって、さらなる意匠性の向上を図ることができる。
【産業上の利用可能性】
【００３６】
本発明は、公共施設や商業用建築物のフロント部に広告表示を設ける場合に利用することができる。
【符号の説明】
【００３７】
１  フロント部
２  縦枠材
３  横枠材
４  ガラス材
５  表示ユニット
６  光源部材
７  導光パネル
８  第一表示パネル
９  ベースフレーム
１０  押縁
１１  固定用フレーム
１２  支持フレーム
１２ｃ  揺動支持片
１３  第一縦枠材
１４  第二縦枠材
１６  第一横枠材
１７  第二横枠材
１７ｈ  揺動受け片
１８  第二表示パネル
【図１】
0005746574.tif 000002
【図２】
0005746574.tif 000003
【図３】
0005746574.tif 000004
【図４】
0005746574.tif 000005
【図５】
0005746574.tif 000006
【図６】
0005746574.tif 000007
【図７】
0005746574.tif 000008
【図８】
0005746574.tif 000009
【図９】
0005746574.tif 000010
【図１０】
0005746574.tif 000011